(57)【要約】【課題】メンテナンス性の高い空気調和機能付換気装置を提供することを目的とする。【解決手段】前後方向に重ね合わせて、壁面１に設置される換気ユニット２を有した装置本体３および空気調和ユニット４とを備え、装置本体３を壁面１側に配置するとともに、空気調和ユニット４の下方位置に、換気ユニット２を装置本体３より出し入れ自在としたことにより、換気ユニット２のメンテナンス性の高い空気調和機能付換気装置を得られる。【選択図】図１
2006242444.tif 000002
【特許請求の範囲】
【請求項１】
前後方向に重ね合わせて壁面に設置される換気ユニットを有した装置本体および空気調和ユニットとを備え、前記装置本体を壁面側に配置するとともに、前記空気調和ユニットの下方位置に前記換気ユニットを装置本体より出し入れ自在とした空気調和機能付換気装置。
【請求項２】
スライド機構を有したスライドレールにより、換気ユニットを上下方向に移動自在とした請求項１記載の空気調和機能付換気装置。
【請求項３】
装置本体の下方に換気ユニットの出し入れ用開口を設け、前記出し入れ用開口に開閉自在に蓋を設けた請求項１記載の空気調和機能付換気装置。
【請求項４】
壁面に固定する装置本体に設けた換気ユニット取付板と、この換気ユニット取付板に設けた切起し部と、この切起し部に係合するように換気ユニットに設けた係合部とを備え、前記切起し部に係合部を係合することにより、前記換気ユニット取付板に前記換気ユニットを密接せしめる構成とした請求項１記載の空気調和機能付換気装置。
【請求項５】
換気ユニットを排気ユニットと給気ユニットにより形成し、前記排気ユニットと給気ユニットをそれぞれ別々に装置本体より下方向に出し入れ自在に設けた請求項１記載の空気調和機能付換気装置。
【請求項６】
排気ユニットおよび給気ユニットの一端を支点に回動自在に設け排気ユニットおよび給気ユニットの支点を介して回動することにより設置本体より下方向に出し入れ自在に設けた請求項５記載の空気調和機能付換気装置。
【請求項７】
換気ユニットの下方の一端を支点に回動自在に設け、前期換気ユニットを前記支点を介して回動することにより装置本体より下方向に出し入れ自在に設けた請求項１記載の空気調和機能付換気装置。
【請求項８】
換気ユニットの出し入れ用開口を開閉する蓋に、蓋の表面を押すことにより蓋が開いたり閉じたりする開閉手段を蓋の内側に設けた請求項３記載の空気調和機能付換気装置。
【請求項９】
蓋の長手方向の両端部に開閉自在な支持手段を設け、前記蓋を、蓋の短手方向に開閉する構成とした請求項３記載の空気調和機能付換気装置。
【発明の詳細な説明】
【技術分野】
【０００１】
本発明は、空気調和機能と常時換気機能をもたらす空気調和機能付換気装置に関する。
【背景技術】
【０００２】
従来、この種の空気調和機能付換気装置の一例としてスプリット形空気調和機の換気装置が知られている（例えば、特許文献１参照）。
【０００３】
以下、そのスプリット形空気調和機の換気装置について図１１および図１２を参照しながら説明する。
【０００４】
図に示すように、換気装置付空気調和機１０１の室内ユニット１０２に換気ユニット１０３を設け、ケーシング１０４内に熱交換器１０５と排気用の横流れファン１０６と吸気用の横流れファン１０７と空気を案内するための発泡スチロールで形成した導入室１０８、１０９と、換気を導びく排気管１１０を設け、ケーシング１０４の下面には、吸込孔１１１と上面には空気吹出孔１１２を設け構成している。
【特許文献１】特開平３−１９５８３４号公報（３頁、第１図、第２図）
【発明の開示】
【発明が解決しようとする課題】
【０００５】
このような従来のスプリット形空気調和機の換気装置では、室内の汚染空気を吸い込み換気することにより汚染しやすい換気ユニット１０３を掃除するときには、室内ユニット１０２を取り外さなければ出来ないのでメンテナンス性が悪いという課題があり、メンテナンス性を高めることが要求されている。
【０００６】
本発明は、上記課題を解決するものであり、メンテナンス性の高い空気調和機能付換気装置を提供することを目的としている。
【課題を解決するための手段】
【０００７】
本発明の空気調和機能付換気装置は上記目的を達成するために、前後方向に重ね合わせて壁面に設置される換気ユニットを有した装置本体および空気調和ユニットとを備え、前記装置本体を壁面側に配置するとともに、前記空気調和ユニットの下方位置に前記換気ユニットを装置本体より出し入れ自在としたものである。
【０００８】
この手段により、換気ユニットのメンテナンス性を高めることができる空気調和機能付換気装置が得られる。
【０００９】
また、他の手段は、スライド機構を有したスライドレールにより、換気ユニットを上下方向に移動自在としたものである。
【００１０】
この手段により、換気ユニットの出し入れ操作が容易となる空気調和機能付換気装置が得られる。
【００１１】
また、他の手段は、装置本体の下方に換気ユニットの出し入れ用開口を設け、前記出し入れ用開口に開閉自在に蓋を設けたものである。
【００１２】
この手段により、デザイン性を高めることができる空気調和機能付換気装置が得られる。
【００１３】
また、他の手段は、壁面に固定する装置本体に設けた換気ユニット取付板と、この換気ユニット取付板に設けた切起し部と、この切起し部に係合するように換気ユニットに設けた係合部とを備え、前記切起し部に係合部を係合することにより、前記換気ユニット取付板に前記換気ユニットを密接せしめる構成としたものである。
【００１４】
この手段により、効率よく換気性能を確保できる空気調和機能付換気装置が得られる。
【００１５】
また、他の手段は、換気ユニットを排気ユニットと給気ユニットにより形成し、前記排気ユニットと給気ユニットをそれぞれ別々に装置本体より下方向に出し入れ自在に設けたものである。
【００１６】
この手段により、ユーザーによるお手入れが容易となる空気調和機能付換気装置が得られる。
【００１７】
また、他の手段は、排気ユニットおよび給気ユニットの一端を支点に回動自在に設け、排気ユニットおよび給気ユニットの支点を介して回動することにより、装置本体より下方向に出し入れ自在に設けたものである。
【００１８】
この手段により、排気ユニットおよび給気ユニットの出し入れ構成を安価にすることができる空気調和機能付換気装置が得られる。
【００１９】
また、他の手段は、換気ユニットの下方の一端を支点に回動自在に設け、前記換気ユニットを前記支点を介して回動することにより装置本体より下方向に出し入れ自在に設けたものである。
【００２０】
この手段により、メンテナンス性が良くなる空気調和機能付換気装置が得られる。
【００２１】
また、他の手段は、換気ユニットの出し入れ用開口を開閉する蓋の表面を押すことにより蓋が開いたり閉じたりする開閉手段を蓋の内側に設けたものである。
【００２２】
この手段により、デザイン性を高めることができる。
【００２３】
また、他の手段は、蓋の長手方向の両端部に開閉自在な支持手段を設け、前記蓋を、蓋の短手方向に開閉する構成としたものである。
【００２４】
この手段により、蓋の開閉を少ないスイングで開閉できる空気調和機能付換気装置が得られる。
【発明の効果】
【００２５】
本発明によれば、換気ユニットのメンテナンス性を高めることのできるという効果のある空気調和機能付換気装置を提供できる。
【００２６】
また、換気ユニットの出し入れ操作が容易となるという効果のある空気調和機能付換気装置を提供できる。
【００２７】
また、デザイン性を高めることができるという効果のある空気調和機能付換気装置を提供できる。
【００２８】
また、換気性能を確保できるという効果のある空気調和機能付換気装置を提供できる。
【００２９】
また、ユーザーによるお手入れが容易になるという効果のある空気調和機能付換気装置を提供できる。
【００３０】
また、排気ユニットおよび給気ユニットの出し入れ構成を安価にすることができるという効果のある空気調和機能付換気装置を提供できる。
【００３１】
また、蓋の開閉を家具等に邪魔にならないように少ないスイングで開閉できるという効果のある空気調和機能付換気装置を提供できる。
【発明を実施するための最良の形態】
【００３２】
本発明の請求項１記載の発明は、前後方向に重ね合わせて壁面に設置される換気ユニットを有した装置本体および空気調和ユニットを備え、前記装置本体を壁面側に配置するとともに、前記空気調和ユニットの下方位置に前記換気ユニットを装置本体より出し入れ自在としたものであり、換気ユニットを掃除やメンテナンスを行うときには、空気調和ユニットを取り付けた状態で換気ユニットを装置本体の下方に引き出すことにより、換気ユニットは空気調和ユニットの下方位置に引き出されることとなり、引き出された換気ユニットは、空気調和ユニットに邪魔されることなく、掃除やメンテナンスを行うことができ、換気ユニットのメンテナンス性を高めることができ、また、換気ユニットの運転中は、換気ユニットの前方に空気調和ユニットがあることにより、遮音効果が図られるという作用を有する。
【００３３】
また、請求項２記載の発明は、スライド機構を有したスライドレールにより、換気ユニットを上下方向に移動自在としたものであり、換気ユニットを装置本体に対し上下方向に移動するときに、スライドレールに沿い移動するように設けたスライド機構を介して換気ユニットがスムーズに移動されることとなり、換気ユニットの出し入れ操作が容易となるという作用を有する。
【００３４】
また、請求項３記載の発明は、装置本体の下方に換気ユニットの出し入れ用開口を設け、前記出し入れ用開口に開閉自在に蓋を設けたものであり、換気ユニットを出し入れするために形成された換気ユニットの出し入れ用開口が、換気ユニットが換気機能をもたらしている運転中には蓋により閉鎖されることによって、換気ユニットを収納する装置本体の下面が開口を有さない平面上に形成されデザイン性を高めることができるという作用を有する。
【００３５】
また、請求項４記載の発明は、壁面に固定する装置本体に設けた換気ユニット取付板と、この換気ユニット取付板に設けた切起し部と、この切起し部に係合するように換気ユニットに設けた係合部とを備え、前記切起し部に係合部を係合することにより、前記換気ユニット取付板に、前記換気ユニットを密接せしめる構成としたものであり、換気口の周辺に換気ユニットを密接して取り付けることにより換気ユニット取付板を伝って外部に換気流が漏れることがなくなり、換気ユニットは所定の換気機能を確保することができるという作用を有する。
【００３６】
また、請求項５記載の発明は、換気ユニットを排気ユニットと給気ユニットにより形成し、前記排気ユニットと給気ユニットをそれぞれ別々に装置本体より下方向に出し入れ自在に設けたものであり、室内の汚染空気を排気する排気ユニット側の汚染がひどく掃除する必要が生じるが、このとき、換気ユニットの中の排気ユニットのみを装置本体の下方に引き出すことができることにより、ユーザーにおいて簡単に排気ユニットを掃除することができ、ユーザーによるお手入れが容易にできるという作用を有する。
【００３７】
また、請求項６記載の発明は、排気ユニットおよび給気ユニットの一端を支点に回動自在に設け、排気ユニットおよび給気ユニットの支点を介して回動することにより、装置本体より下方向に出し入れ自在に設けたものであり、排気ユニットおよび給気ユニットを装置本体より下方向に出し入れするために、一端の支点に回動させているので、スライドレールやスライド機構を設けている場合と比較して構造が簡単で安価にすることができるという作用を有する。
【００３８】
また、請求項７記載の発明は、換気ユニットの下方の一端を支点に回動自在に設け、前記換気ユニットを前記支点を介して回動することにより、装置本体より下方向に出し入れ自在に設けたものであり、換気ユニットの一端を支点にして回動操作することにより、換気ユニットを装置本体の下方に位置させることができるので、換気ユニットの掃除やメンテナンス性が良くなるという作用を有する。
【００３９】
また、請求項８記載の発明は、換気ユニットの出し入れ用開口を開閉する蓋に、蓋の表面を押すことにより蓋が開いたり閉じたりする開閉手段を蓋の内側に設けたものであり、装置本体に蓋を開閉するためのつまみ等の露出することがなくなり、装置本体の下面がフラットになるのでデザイン性の向上を図ることができるという作用を有する。
【００４０】
また、請求項９記載の発明は、蓋の長手方向の両端部に開閉自在な支持手段を設け、前記蓋を、蓋の短手方向に開閉する構成としたものであり、蓋の開閉を少ないスイングで開閉でき、下方に家具等があっても邪魔にならないように開閉することができるという作用を有する。
【００４１】
以下、本発明の実施の形態についての図面を参照しながら説明する。
【００４２】
（実施の形態１）
図１〜図５に示すように、前後方向に重ね合わせて壁面１に設置される換気ユニット２を有した装置本体３および空気調和ユニット４を備え、装置本体３を壁面１側に配置するとともに、空気調和ユニット４の下方位置に換気ユニット２を装置本体３より出し入れ自在とするように、装置本体３にスライドレール５を設け、スライドレール５にスライドするスライド機構６を換気ユニット２に設け、換気ユニット２を装置本体３より出し入れできるように装置本体３の下方に換気ユニット２の出し入れ用開口７を設け、出し入れ用開口７には、出し入れ用開口７を開閉する蓋８をヒンジ９を介して開閉自在に設ける。
【００４３】
また、換気ユニット４を装置本体３内で保持するために、壁面１に固定される装置本体３に設けられる換気ユニット取付板１０と、屋外フード１１を設け、排気路１２と給気路１３を形成した２層ダクト１４により形成される換気口１５を換気ユニット取付板１０に設け、換気ユニット取付板１０の上部に水平方向の切起し部１６を設け、換気ユニット２には切起し部１６に係合する係合部１７を設け、切起し部１６に係合部１７が係合することにより、換気ユニット取付板１０に換気ユニット２を密接させスライド機構６に設けた固定ねじ６ａにより係合位置で固定する。
【００４４】
また、空気調和ユニット４には前面および天面に室内空気を循環する空気入口１８を設け、下面に空気出口１９を設け、内部に設けた熱交換部（図示せず）により熱交換した空気を循環送風し、装置本体３側は室内側排気口２０を蓋８に設け、換気ユニット２により２層ダクト１４の排気路１２を経て屋外に排気し、一方、２層ダクト１４の給気路１３を経て装置本体３の上面側に設けた室内側給気口２１より室内に給気するように構成する。
【００４５】
上記構成において、空気調和機能付換気装置を運転すると、空気調和ユニット４により室内空気が循環されながら空調が行われ、換気ユニット２により汚染された室内空気が排気され、新鮮な屋外空気が給気され換気が行われる。
【００４６】
そして、長期間の運転により換気ユニット２の掃除またはメンテナンスを行う必要が生じた場合には、装置本体３に設けた蓋８を開放し、固定ねじ６ａをゆるめ換気ユニット２に設けた係合部１７を換気ユニット取付板１０に設けた切起し部１６より離脱させたのち、スライド機構６を介してスライドレール５に沿い下降し、装置本体３の出し入れ用開口７より引き出し、空気調和ユニット４の下方側に換気ユニット２を露出させ、換気ユニット２の掃除またはメンテナンスを行うこととなる。
【００４７】
このとき、換気ユニット２は、空気調和ユニット４の下方位置に引き出されていることにより、引き出された換気ユニット２は、空気調和ユニット４に邪魔されることなく掃除やメンテナンスを行うことができるとともに、換気ユニット２のメンテナンス時に、いちいち空気調和ユニット４を取り外す手間が省け換気ユニットのメンテナンス性が高められることとなる。
【００４８】
また、メンテナンスが終った換気ユニット２を装置本体３内に収納するときには、換気ユニット２に設けたスライド機構６を介し、スライドレール５上をスライドすることにより、換気ユニット２はスムーズに移動して装置本体３内に収納されることとなり、換気ユニット２の出し入れ操作が容易となり、装置本体３内に収納された換気ユニット２は、換気ユニット２に設けた係合部１７が換気ユニット取付板１０に設けた切起し部１６に係合することにより、換気ユニット２は装置本体３内に保持される。
【００４９】
このとき、換気ユニット取付板１０に換気ユニット２を密接せしめる構成としていることにより、換気ユニット取付板１０を伝って外部に換気流が漏れることがなくなり、換気ユニット２は所定の換気機能を確保することができることとなる。
【００５０】
また、換気ユニット２を出し入れするために装置本体３に設けた換気ユニット２の出し入れ用開口７に設けた蓋８を閉鎖することにより装置本体３の下面が開口を有さない平坦上に形成され、デザイン性を高めることができ、また、換気ユニット２の前面側に空気調和ユニット４を設けていることにより、換気ユニット２の運転中に発生する騒音が、空気調和ユニット４により遮音効果がもたらされて換気ユニット２の騒音を緩和することができることとなる。
【００５１】
（実施の形態２）
図６に示すように、換気ユニット２Ａを排気ユニット２２と給気ユニット２３により形成し、排気ユニット２２と給気ユニット２３を、それぞれ別々に装置本体３Ａより下方向に出し入れ自在に設け、給気ユニット２３側に対応して給気フィルター２４を設け構成する。
【００５２】
上記構成において、換気ユニット２Ａのうち、室内の汚染空気を排気する排気ユニット２２の汚染度が給気ユニット２３より高いため、排気ユニット２２側を掃除する機会が多く、このときには、排気ユニット２２側のみを装置本体３Ａより下方に引き出し、排気ユニット２２の掃除ならびにメンテナンスを行うことができる。このことにより、ユーザーにおいて簡単に排気ユニット２２を掃除することができ、ユーザーによるお手入れが容易にできることとなる。
【００５３】
（実施の形態３）
図７に示すように、排気ユニット２２Ａおよび給気ユニット２３Ａの一端を支点２５に回動自在に設け、排気ユニット２２Ａおよび給気ユニット２３Ａを支点２５を介して回動することにより、装置本体３Ｂより下方向に出し入れ自在に設け、排気ユニット２２Ａおよび給気ユニット２３Ａを装置本体３Ｂ内に収納したときには、弾性力等を利用した保持手段（図示せず）により保持されるように構成する。
【００５４】
上記構成において、空気調和機能付換気装置を運転する場合には、排気ユニット２２Ａおよび給気ユニット２３Ａは装置本体３Ｂ内に収納し、保持手段により装置本体３Ｂ内に保持する。
【００５５】
そして、排気ユニット２２Ａまたは給気ユニット２３Ａの掃除またはメンテナンスをする必要が生じた場合には、排気ユニット２２Ａまたは給気ユニット２３Ａを支点２５を介して回動し、装置本体３Ｂより、装置本体３Ｂ外の下方向に移動して掃除またはメンテナンスを行うことができる。このことにより、排気ユニット２２Ａまたは給気ユニット２３Ａを装置本体３Ｂより下方向に出し入れするためのスライドレールやスライド機構等の必要がなく、一端を支点２５において回動しているので構造が簡単で安価にすることができる。
【００５６】
（実施の形態４）
図８に示すように、換気ユニット２Ｂの下方の一端を支点２５Ａにより回動自在に設け、換気ユニット２Ｂを支点２５Ａを介し回動することにより、装置本体３Ｃより下方向に出し入れ自在に設け、換気ユニット２Ｂを装置本体３Ｃ内に収納したときには、弾性力等を利用した保持手段（図示せず）により保持されるように構成する。
【００５７】
上記構成において、空気調和機能付換気装置を運転する場合には、換気ユニット２Ｂは装置本体３Ｃ内に収納し、保持手段により装置本体３Ｃ内に保持する。
【００５８】
そして、換気ユニット２Ｂの掃除またはメンテナンスをする必要が生じた場合には、換気ユニット２Ｂを支点２５Ａを回動し、装置本体３Ｃより、装置本体３Ｃ外の下方向に移動して掃除またはメンテナンスを行うことができ、換気ユニット２Ｂの掃除やメンテナンス性が良くなる。
【００５９】
（実施の形態５）
図９に示すように、換気ユニット２Ｃを下方から出し入れするように装置本体３Ｄに設けた出し入れ用開口７Ａを開閉する蓋８Ａに、蓋８Ａの表面を押すことにより蓋８Ａが開いたり閉じたりする開閉手段２６を蓋８Ａの内側に設けた構成とする。
【００６０】
上記構成において、蓋８Ａを開放するときには、蓋８Ａの表面を押すことにより蓋８Ａの内側に設けた開閉手段２６が作動して蓋８Ａが開放され、蓋８Ａを閉じるときには蓋８Ａの表面を、出し入れ用開口７Ａ側に押し付けることにより蓋８Ａが開閉手段２６を介して出し入れ用開口７Ａを閉鎖するように作動する。
【００６１】
このことにより、蓋８Ａを閉鎖状態にしたときには、蓋８Ａの表面につまみ等が露出しないため、装置本体３Ｄの下面がフラットとなりデザイン性の向上を図ることができるとともに、蓋８Ａの開閉操作が容易となる。
【００６２】
（実施の形態６）
図１０に示すように、蓋８Ｂの長手方向の両端部に舌部２７と支持部２８よりなる開閉自在な支持手段２９を装置本体３Ｅ側に設け、蓋８Ｂを、蓋８Ｂの短手方向に開閉する構成とする。
【００６３】
上記構成において、装置本体３Ｅの換気ユニット２Ｄを下方に引き出すときに出し入れ用開口７Ａに設けた蓋８Ｂを開放するときには、蓋８Ｂの長手方向の両端部を支持している支持手段２９を介して開放する。このとき、蓋８Ｂは、蓋８Ｂの短手方向に開放することとなり、蓋８Ｂの開閉を少ないスイングで開閉することができるとともに、装置本体３Ｅの下方に開く蓋８Ｂは短い寸法分だけ開くこととなり、装置本体３Ｅの下方に家具等が設置されている場合においても邪魔にならないように蓋８Ｂを開閉することができる。
【産業上の利用可能性】
【００６４】
空気調和ユニット重ね合わせて設けられる換気ユニットに変えて、フィルターを掃除する機会の多い空気清浄機を設ける用途にも適用できる。
【図面の簡単な説明】
【００６５】
【図１】本発明の実施の形態１の空気調和機能付換気装置の取り付け状態を示す断面図
【図２】同空気調和機能付換気装置の斜視図
【図３】同空気調和機能付換気装置を壁面に取り付けた状態の断面図
【図４】同空気調和機能付換気装置の斜視図
【図５】同空気調和機能付換気装置の換気ユニットの保持状態を示す断面図
【図６】本発明の実施の形態２の空気調和機能付換気装置の斜視図
【図７】本発明の実施の形態３の排気ユニットと給気ユニットの出し入れ状態を示す断面図
【図８】本発明の実施の形態４の換気ユニットの出し入れ状態を示す正面図
【図９】本発明の実施の形態５の蓋の開閉手段を示す断面図
【図１０】本発明の実施の形態６の蓋の支持手段を示す断面図
【図１１】従来のスプリット形空気調和機の換気装置の斜視図
【図１２】同スプリット形空気調和機の換気装置の側面図
【符号の説明】
【００６６】
１      壁面
２      換気ユニット
２Ａ    換気ユニット
２Ｂ    換気ユニット
３      装置本体
３Ａ    装置本体
３Ｂ    装置本体
３Ｃ    装置本体
４      空気調和ユニット
５      スライドレール
６      スライド機構
７      出し入れ用開口
７Ａ    出し入れ用開口
８      蓋
８Ａ    蓋
１０    換気ユニット取付板
１６    切起し部
１７    係合部
２２    排気ユニット
２２Ａ  排気ユニット
２３    給気ユニット
２３Ａ  給気ユニット
２５    支点
２５Ａ  支点
２９    支持手段
【図１】
2006242444.tif 000003
【図２】
2006242444.tif 000004
【図３】
2006242444.tif 000005
【図４】
2006242444.tif 000006
【図５】
2006242444.tif 000007
【図６】
2006242444.tif 000008
【図７】
2006242444.tif 000009
【図８】
2006242444.tif 000010
【図９】
2006242444.tif 000011
【図１０】
2006242444.tif 000012
【図１１】
2006242444.tif 000013
【図１２】
2006242444.tif 000014